(57)【要約】【課題】ロールステープルの装填作業を容易化する。【解決手段】ロールステープル２１の外周側端部を外周面に接着して結束する。ステープルカートリッジ３１のステープル室３２の底面に開口３３を設ける。ステープルカートリッジをステープラへ装着すると、ステープラのステープル送りローラ４１がロールステープルに接触し、ステープル送りローラがロールステープルを回転させる。ステープル室３２と水平ガイド３６との境界に設けたセパレータ部３７の先端がロールステープル本体の外周面とロールステープルの先端との間に入り、ステープルの先端部はロールステープル本体から剥離され、水平ガイド内を直進してロールステープルのセットが完了する。【選択図】　図３
2004130455.tif 000002
【特許請求の範囲】
【請求項１】
ステープラのステープルカートリッジへ装填される補充用ロールステープルであって、ロールステープルの外周側の先端近傍を剥離可能な接着剤にて外周面へ接着して結束したロールステープル。
【請求項２】
ステープラへ装着されるステープルカートリッジであって、ロールステープルを収容するステープル室と、ステープルをステープル室からステープラのドライバ部へ案内するガイド部とを備えたステープルカートリッジにおいて、ステープル室に開口を設け、ステープラに設けたステープル送り機構が前記開口を通じてロールステープルに接触するように形成し、ステープル送り機構によりロールステープルを回転することにより、ロールステープルの先端がステープル室からガイド部へ導入されるように形成したことを特徴とするステープルカートリッジ。
【発明の詳細な説明】
【０００１】
【発明の属する技術分野】
この発明は、ステープラに用いるロールステープルならびにステープルカートリッジに関するものであり、特に、装填の容易化を図ったロールステープルならびにステープルカートリッジに関するものである。
【０００２】
【従来の技術】
従来は、ステープラのステープルカートリッジ内のステープルを使い切ったときにカートリッジ全体を交換する使い捨て式ステープルカートリッジが一般的であったが、資源の節約および廃棄物の削減を図ってステープルカートリッジへステープルを補充できるようにした詰替え式ステープルカートリッジへの移行が進んでいる。この種のステープルカートリッジへの詰替え用に提供されているロールステープルは、ロールステープルの先端部の裏面にテープの後端部を接着し、テープをロールステープルの外周に一周以上巻きつけ、テープの先端部を接着してロールステープルを結束している。
【０００３】
図４及び図５はロールステープル１の装填手順を示し、図に示すようにステープルカートリッジ１１のステープル室１２を覆っている開閉カバー１３を開け、ロールステープル１を結束しているテープ２の先端部２ａを剥がし、ロールステープル１を所定の姿勢（ロールステープルの下面から前方へステープルが引出される向き）でステープル室１２へ装填する。図５に示すように、ステープル室１２から前方へ延びるガイド部１４の上面にはテープ引出し口１５が設けられていて、テープ２をテープ引出し口１５から外へ引出し、開閉カバー１３を閉めた後にテープ２の先端部２ａを持って前方あるいは上方へ引けば、ロールステープル１が回転してその先端部が前方へ送られる。そして、ロールステープル１の先端部はガイド部１４内の水平ガイド１６内を直進し、テープ２とロールステープル１の接着部位がテープ引出し口１５に達したときにロールステープル１からテープ２が剥がれて上方へ引抜かれ、ロールステープル１のセットが完了する。
【０００４】
【発明が解決しようとする課題】
従来の詰替え用ロールステープルは、ロールステープルの先端部に接着したテープを引っ張ってロールステープルの先端部をステープルカートリッジのガイド部内に案内するように構成しており、装填に手間がかかる。また、装填時に引き剥がしたテープは廃棄処分されるので資源を無駄にすることになる。そこで、ロールステープルの装填の手間を軽減するとともに廃棄物を削減するために解決すべき技術的課題が生じてくるのであり、本発明は上記課題を解決することを目的とする。
【０００５】
【課題を解決するための手段】
この発明は、上記目的を達成するために提案するものであり、ステープラのステープルカートリッジへ装填される補充用ロールステープルであって、ロールステープルの外周側の先端近傍を剥離可能な接着剤にて外周面へ接着して結束したロールステープル、及び、ステープラへ装着されるステープルカートリッジであって、ロールステープルを収容するステープル室と、ステープルをステープル室からステープラのドライバ部へ案内するガイド部とを備えたステープルカートリッジにおいて、ステープル室に開口を設け、ステープラに設けたステープル送り機構が前記開口を通じてロールステープルに接触するように形成し、ステープル送り機構によりロールステープルを回転することにより、ロールステープルの先端がステープル室からガイド部へ導入されるように形成したステープルカートリッジを提供するものである。
【０００６】
【発明の実施の形態】
以下、この発明の実施の一形態を図に従って詳述する。図１はロールステープル２１を示し、多数の直線ステープルを並列に接着したベルト状ステープルを巻取機にて巻取ってロールとし、外周側の先端部を剥離可能な接着剤ａにて直接ロールステープル２１の外周面に接着しており、従来用いられている引出し用テープを廃して廃棄物の削減を図っている。
【０００７】
図２及び図３は、ステープルカートリッジ３１を示し、図３に示すようにステープル室３２の底面部に開口３３を形成し、ステープラ（図示せず）にステープルカートリッジ３１を装填したときにステープラに設けたステープル送りローラ４１が開口を通じてステープル室３２内へ突出するように形成している。ステープルカートリッジ３１へロールステープル２１を装填する際は、ステープラからステープルカートリッジ３１を取り外し、図２に示すようにステープルカートリッジ３１のステープル室３２を覆っている開閉カバー３４を開け、ロールステープル２１をロールステープルの下面側からステープルが前方へ送り出される向きにしてステープル室３２へ装填する。
【０００８】
ロールステープル２１を装填したステープルカートリッジ３１をステープラへ装着すると、図３に示すようにステープラのステープル送りローラ４１が開口３３を通じてステープル室３２内のロールステープル２１の底面に接触し、ステープラに設けたカートリッジ検出センサ（図示せず）によりステープルカートリッジ３１の装着が検出されてステープル送りローラ４１が起動し、ロールステープル２１を正回転（図において時計方向）させる。
【０００９】
そして、ロールステープル２１の外周側の先端が、ガイド部３５内の水平ガイド３６とステープル室３２との境界に設けたセパレータ部３７に達すると、セパレータ部３７の先端がロールステープル２１本体の外周面とロールステープルの先端との間に入り、ロールステープル２１本体が回転を継続することにより先端部はロールステープル２１本体から剥離され、セパレータ部３７の下面に沿って水平ガイド３６内に入る。そして、水平ガイド３６内を直進して水平ガイド３６の前端まで達し、ロールステープル２１のセットが完了する。
【００１０】
尚、この発明は上記の実施形態に限定するものではなく、この発明の技術的範囲内において種々の改変が可能であり、この発明がそれらの改変されたものに及ぶことは当然である。
【００１１】
【発明の効果】
以上説明したように、本発明のロールステープルとステープルカートリッジとを組み合わせることにより、カートリッジ内におけるロールステープルの自動セットが可能となり、ステープル装填の手間が軽減される。また、ロールステープルは先端部を外周面に直接接着しており、テープ等の結束材を使用していないので、省資源にも寄与する発明である。
【図面の簡単な説明】
【図１】本発明の実施の一形態を示し、ロールステープルの側面図。
【図２】ステープルカートリッジとロールステープルの側面図。
【図３】ステープルカートリッジとロールステープルの側面図。
【図４】従来例を示し、ステープルカートリッジとロールステープルの側面図。
【図５】従来例を示し、ステープルカートリッジとロールステープルの側面図。
【符号の説明】
２１　　　　　ロールステープル
３１　　　　　ステープルカートリッジ
３２　　　　　ステープル室
３３　　　　　開口
３４　　　　　開閉カバー
３５　　　　　ガイド部
３６　　　　　水平ガイド
３７　　　　　セパレータ部
４１　　　　　ステープル送りローラ
【図１】
2004130455.tif 000003
【図２】
2004130455.tif 000004
【図３】
2004130455.tif 000005
【図４】
2004130455.tif 000006
【図５】
2004130455.tif 000007